(57)【要約】      （修正有）【課題】感染予防具（マスク、ウェットテッシュ、スプレーなど）を一つのケースに収納することで接触感染を予防する、マスクケースと衛生用品収納ケースを提供する。【解決手段】マスクケース１上部の内側の両側に、小さな穴６を幾つも開け、内側の両側に網５を固設し、網の上に、アルコールが湿ったウェットテッシュ１０を、使用中のマスク３の上下に重ねて収納し、マスクを除菌できるように形成したものであり、ケースの中央部に、予備マスク又は／及び紙テッシュを収納するための袋状の網を設け、中央部の反対側に、使用済みマスクの収納部１４を設け、ケースの下部に、ウェットテッシュの包装袋を固設するための着脱自在の接着テープと、ウェットテッシュを包装袋の口から取り出すための取りだし口とを設けた。【選択図】図１
0003218728.tif 000002
【実用新案登録請求の範囲】
【請求項１】
本体ケース（１）上部の上下両側に小さな穴（６）を幾つも開けた面と網（５）を固設した中に使用中のマスク（３）を入れ、上下ケースの縁の中央部開閉を着脱自在の留め具（７）を設け、中部に使用済みのマスク（１４）を収納する所を設け、感染予防具を収納する所を網（５）で袋のの中に予備マスク（１１）、紙テッシュ（９）など収納する所と、下部のケース（１）の除菌液のアルコールウェットテッシュ（１０）包装袋をベルトに着脱自在の接着テープ（１５）で固定する物を設け、そのウェットテッシュ（１０）を取り出し口（１３）に合わせて収納し外側から取り出せるようにした、販売されている感染予防具のマスク、ウェットテッシュなどを一つのケースに収納することで接触感染を軽減する特徴のマスクケース（１）。
形状の違いで機能効果は同じ、Ｎ型の（図３）か、Ｍ型の（図４）か、本のページ状の（ず５）をもうけた。
【請求項２】
本体の中敷きケース（２）外側カバー（１２）上下両側に小さな穴（６）を幾つも開けた面と網（５）を固設した中に使用中のマスク（３）を入れ、上下ケースの縁の中央部開閉を着脱自在に留め具（７）を設け、ケース（２）の中央のファスナー（８）を開け感染予防具の収納する所は上部の網（５）の袋の中に予備マスク（１１）、紙のテッシュ（９）を収納する所と、中部に使用済みマスク（１４）を収納する所を設け、下部に除菌液のアルコールスプレー容器（４）を収納する所と、除菌液のアルコールウェットテッシュ（１０）包装袋をベルトに着脱自在の接着テープ（１５）で固定する物を設け、そのウェットテッシュ（１０）を取り出し口（１３）に合わせて収納し外側から取り出せるようにした、販売されている感染予防具のマスク、ウェットテッシュ、スプレーなどを一つのケースに収納することで接触感染を軽減する特徴の衛生品収納ケース（２）。
【考案の詳細な説明】
【技術分野】
【０００１】  本考案は、マスクを収納する物と販売されているウイルス感染予防品を収納するケースに関する。
【背景技術】
【０００２】  使い捨てマスクは取り外す時点で毎回捨てる事を基準としているが、実際は捨てずに食事など取り外し再度使う人が多い、又電車など密集地で見えないウイルス菌が飛沫感染でマスクに付着した間々と販売されている除菌液ウェットテッシュにスプレー容器などポケットやバックに別々収納し接触感染の疑いがあった、【０００３】  ナイロンケースで使用中のマスクをアルコールウェットテッシュで挟み除菌するかアルコールスプレー噴霧するのをマスクパックとして（特許文献１）を出願した後、（非特許文献１）の説明からアルコールの使用注意事項で（本品はアルコールを含んでおります、アルコールに敏感な方、特に肌の弱い方は使用しないでくださいスプレーしたマスクはよく乾かしてから使用してください）、この注意事項の（特許文献１）に対して、マスクにアルコールスプレーで噴霧するかアルコールウェットテッシュでマスクを挟んで収納してアルコール分が残っていた、（特許文献２）は、アルコールは揮発性なためケースに幾つもの穴を開け蒸発を早め乾かしたマスクケース、衛生用品収納ケースとしてファスナーを開けた中に、感染予防具の予備マスクと紙テッシュ、除菌液スプレー容器、アルコールウェットテッシュ収納したケースをウイルス感染予防具として出願した。【０００４】
【特許文献１】実用新案登録第３１５９１０４号
【０００５】
【特許文献２】実用新案登録第３２０１４０７号
【非特許文献】
【０００６】
【非特許文献１】販売元、エーザイ株式会社、販売名クリスタルウェールマスク防菌の説明書。
【考案の概要】
【考案が解決しようとする課題】
【０００７】  従来の上記から改善した本願は、第一課題のマスクケースは、駅や町を歩いても使用済みのマスクを捨てる所がなかった事と、内側からアルコールウェットテッシュが入った包装袋をベルトで押さえていたが外側の取りだし口から取り出しずらかった、感染予防具の予備マスク、紙テェシュなど入れる所を設けたマスクケース、【０００８】  従来の上記から改善した本願は、第二課題衛生用品収納ケースは、駅や町を歩いても使用済みのマスクを捨てる所がなかった事と、内側からアルコールウェットテッシュが入った包装袋をベルトで押さえて収納しただけではずれてウェットテッシュを外側から取りずらい事である衛生用品収納ケース。【０００９】  本考案は以上のような従来の欠点に鑑み、販売されている感染予防具（マスク、ウェットテッシュ、スプレーなど）を一つのケースに収納することで接触を少なくし感染を予防する、災害時マスクを使用し感染予防具に役立つ、マスクケースと衛生用品収納ケースを提供することを目的としている。
【課題を解決するための手段】
【００１０】  上記目的を達成するために、本考案は、本体ケース上下両側に小さな穴を幾つも開けた面に網を固設した上下両側の間に使用中のマスクを入れる所を設け、その穴の開いた反対側に、本願の感染予防具の収納する所を設け予備マスク、紙テッシュを入れる、本願の使用済みのマスクを収納する所を設け、本願ケースの内側に収納するアルコールウェットテッシュがズレ移動するため着脱自在の接着テープをベルトに固設しウェットテッシュの包装袋に接着し、内側の取り出し口にウェットテッシュを合わせ外側から取り出しやすくした、上下ケースの縁中央部開閉を着脱自在の留め具を設けたマスクケースの構成。【００１１】  形状の違いで、Ｎ型（図３）かＭ型（図４）か本のページ（図５）を設けた物がある。【００１２】  本体の中敷きケースと外側カバー上下両側に小さな穴を幾つも開けた面と網を固設した上下両側の間に使用中のマスクを入れる所を設け、上下ケースの縁中央部開閉を着脱自在の留め具を設け、ケースの中央のファスナーを開け感染予防具の収納する所を網の袋を設けその中の上部に予備マスク、紙テッシュなど収納する所と、中部に今回本願の使用済みのマスク又は使用済みのウェットテッシュを収納する所を設け、下部にアルコールスプレー容器、今回本願のアルコールウェットテッシュをケースがズレ移動するため着脱自在の接着テープをベルトに固設しウェットテッシュの包装袋に接着し、外側の取り出し口からウェットテッシュを出せるように設けた衛生用品収納ケースの構成。
【考案の効果】
【００１３】  マスクケース（１）と衛生用品収納ケース（２）は形状の違いが有るが効果は同じである、アルコールスプレー容器（４）収納する所があるのが衛生用品収納ケースでその他がマスクケースです、学校施設など設置しているマスク用のアルコールで、本体ケース内でマスクに噴霧するか湿ったウェットテッシュ（１０）で挟みインフルエンザを除菌する、本体ケース（１）（２）上下両側に幾つも小さな穴を開けた事で揮発性のアルコールを蒸発を早め乾燥する事で、アルコールの敏感な方肌が弱い方で皮膚炎の発症を削減出来る、又ウェットテッシュ（１０）でマスク（３）から外れた顔髪の毛と手などに付着したインフルエンザ菌を拭き取る事と手とケースも拭き取り他えの接触感染を削減、予備マスク（１１）を収納することでマスク（３）を取り替えられ感染を軽減し、紙テッシュは鼻風邪などに使い、本願は、駅又は町で使用済みのマスク（３）を捨てる所が無いとき一時保管場所（１４）としてケースに設け他人えの接触感染を削減、本願は、ウェットテッシュ（１０）が取りだし口（１３）からズレ移動し接触の感染危機がある、内側のケースのベルトに着脱自在の接着テープ（１５）を固設した所と包装袋のウェットテッシュ口（１０）に合わせて固定し外側から取り出し易くし接触感染を減少できる、又素材にナイロンかポリエチレンなど抗菌液に強い物材料であればケースに菌が付着しても拭き取れる、学生でも安価で予防できるマスクケース（１）と海外旅行に使用される衛生用品収納ケース（２）。【００１４】ケースの上にアルコール湿ったウェットテッシュでマスクを挟み除菌、この室内の乾燥状態は、温度２４Ｃ°湿度３６％で８分係ったアルコールの成分製品でグレープフルーツ種子エキスは１５分係、手で触れた感覚の乾燥であった（特許文献１）の穴のないマスク除菌パックの乾燥は１時間３０分でも中心部はまだ湿っぽい状態であった。【００１５】  形状の違い機能効果は同じで、Ｎ型（図３）か、Ｍ型（図４）か、本のページ（図５）を設けた物がある。
アルコール以外の除菌液をウェットテッシュ、スプレー容器でも使用できる。
【図面の簡単な説明】
【００１６】
【図１】  本考案の第一の実施の形態の使用状況構成図。
【図２】  本考案の第一の実施の形態の斜視断面図。
【図３】  本考案の第一の実施の形態のＮ型斜視図。
【図４】  本考案の第一の実施の形態のＷ型斜視図。
【図５】  本考案の第一の実施の形態の本のページ型斜視図。
【図６】  本考案の第一の実施の形態の衛生用品収納ケース斜視図。。
【図７】  本考案の第一の実施の形態の衛生用品収納ケースを開けた正面図。
【図８】  本考案の第一の実施の形態の全体の後方面図。
【考案を実施するための形態】
【００１７】  本体マスクケース（１）両側上部に幾つもの小さな穴（６）開けたその内側両側に網（５）を固設した所に使用中のマスク（３）の収納所に、中部に使用済みマスク（１４）を収納する所と留め具（７）を設け、網（５）で袋状の中に予備マスク（１１）、紙テッシュ（９）を収納しておく、下部のベルトに着脱自在の接着テープ（１５）で固設しウェットテッシュ（１０）の口と取りだし口（１３）に合わせて収納しておく、縁のケース（１）の中央部上下に着脱自在の留め具（７）を設けたマスクケース（１）。
形状の違いで、Ｎ型か（図３）かＭ型（図４）か本のページ（図５）を設けた物がある。
【００１８】  衛生用品収納ケース（２）の中敷きと外のカバー（１２）に幾つもの小さな穴（６）を開けた内側両側に網（５）を固設し縁のケース（２）の中央部上下に着脱自在の留め具（７）を設け、そのケース中央のファスナー（８）を開閉の感染予防品を収納する物は上部に予備マスク（１１）紙テッシュ（９）収納する所と、中部に使用済みのマスク（１４）を収納する所と留め具（７）も設け、下部にアルコールスプレー容器（４）を収納する所と、着脱自在の接着テープ（１５）で固設しウェットテッシュ（１０）の口と取りだし口（１３）に合わせて収納しておく、衛生用品収納ケース（２）。
【実施例】
【００１９】  使用中のマスク（３）を外しマスクケース（１）の上部を開け幾つもの小さな穴の開いた網（５）の上に乗せ、ケース（１）の下部の取りだし口（１３）からアルコールが湿ったウェットテッシュ（１０）を使用中のマスク（３）に挟み留め具（７）で止める、中部の使用済みのマスク（１４）が有れば収納し、留め具（７）止めるマスクケース（１）。学校や施設などで設置している物でマスク用除菌液が有ればスプレー容器で噴霧する（例）アルコールスプレーなどその他除菌液。【００２０】  衛生用品収納ケース（２）の中央のファスナー（８）を開け下部のアルコールスプレー容器（４）を取り出して閉め、外側カバー（１２）の幾つもの穴の開いた網（５）の上に使用中のマスク（３）を乗せ、アルコールでスプレー（４）をするか、ケース（２）の反対からアルコールが湿ったウェットテッシュ（１０）を取り出し口（１３）から取り、ケース（２）網（５）の上にマスク（３）を乗せて挟み留め具（７）で止め除菌するかである、ファスナー（８）を開け衛生用品収納所は上部に予備マスク（１１）と鼻風邪などに紙テッシュ（９）など収納し、中部に使用済みのマスク（１４）が有れば収納し、下部にアルコールスプレー容器（４）をベルトで収納する所と、衛生用品収納ケース（２）。
【符号の説明】
【００２１】    １，マスクケース、
２，衛生用品収納ケース、
３，マスク、（使用中のマスク、使用済みのマスク）
４，アルコールスプレー容器、
５，網、
６，小さな穴、
７，留め具、
８，ファスナー、
９，紙のテッシュ、
１０，ウェットテッシュ、
１１，予備マスク、
１２，ケースの外側カバー、
１３，ウェットテッシュの取り出し口、
１４，使用済みのマスクを収納する所、
１５，着脱自在の接着テープ、
【図１】
0003218728.tif 000003
【図２】
0003218728.tif 000004
【図３】
0003218728.tif 000005
【図４】
0003218728.tif 000006
【図５】
0003218728.tif 000007
【図６】
0003218728.tif 000008
【図７】
0003218728.tif 000009
【図８】
0003218728.tif 000010
【手続補正書】
【提出日】平成30年5月25日(2018.5.25)
【手続補正１】
【補正対象書類名】実用新案登録請求の範囲
【補正対象項目名】全文
【補正方法】変更
【補正の内容】
【実用新案登録請求の範囲】
【請求項１】
（図１）本体ケース（１）上部位置の上下両側に小さな穴（６）を幾つも開けた内側両側面に網（５）を固設した中に、使用中のマスク（３）をケース（１）の上に乗せ本体の（図８）下部外側からアルコールが湿ったウェットテッシュ（１０）を取り出しマスク（３）の上下に重ねて乗せて収納し除菌するが、皮膚の弱い人が皮膚炎になるのを防ぐため幾つもの穴（６）を開けた所から、揮発性なアルコールの蒸発を早め皮膚炎を減少するためで、（図３）この本体ケースの中央部に予備マスク（１１）紙テッシュ（９）などを網（５）の袋状に収納する所を設け、中央部の反対側に捨てる所がない使用済みのマスク（３）を収納する所を設け、下部のケース（１）の取りだし口（１３）とアルコールが湿ったウェットテッシュ（１０）の包装袋の取りだし口に合わせベルト（１５）に固設した着脱自在の接着テープで接着し収納して置き、（図８）外側からそのウェットテッシュ（１０）を取り出せるようにした、従来はアルコールウェットテッシュの収納袋が移動し取り出し難かった、飛沫感染で受けた使用中のマスクを除菌しマスクから外れた顔頭髪の毛などを拭き取る物で、販売されている除菌液のアルコール成分のウェットテッシュに湿らせた物を一つのケースに収納することで接触感染を削減するケース、学校でインフルエンザ流行時学校学級閉鎖発生している小学低学年でも使いやすくした、Ｎ型（図３）または（図４）Ｍ型か本のページ状（図５）にしたこれらの特徴のマスクケース。
【請求項２】
（図６）本体中敷きケース（２）外側カバー（１２）上部位置の上下両側に小さな穴（６）を幾つも開けた内側両側面に網（５）を固設した中に、（図７）本体ケース（２）のファスナー（８）を開けスプレー容器（４）を取り出し網（５）の上に使用中のマスク（３）乗せ噴霧するか、又は、使用中のマスク（３）をケース（２）の上に乗せ本体の下部外側から（図８）アルコールが湿ったウェットテッシュ（１０）を取り出しマスク（３）の上下に重ねて乗せて収納し除菌するが、皮膚の弱い人が皮膚炎になるのを防ぐため幾つもの穴（６）を開けた所から、揮発性なアルコールの蒸発を早め皮膚炎を減少するためで、（図７）この本体ケースのファスナー（８）を開けた中に予備マスク（１１）紙テッシュなどを網（５）の袋状に収納する所を設け、中央部の反対側に捨てる所がない使用済みのマスクを収納する所（１４）を設け、下部内側ケース（２）の取りだし口（１３）とアルコールが湿ったウェットテッシュ（１０）包装袋の取りだし口に合わせベルト（１５）に固設した着脱自在の接着テープで接着し収納して置き、（図８）ケース（２）の外側からそのウェットテッシュ（１０）を取り出せるようにした、従来はアルコールウェットテッシュ（１０）の収納袋が移動し取り出し難かった、飛沫感染で受けた使用中のマスク（３）除菌しマスク（３）から外れた顔頭髪の毛などを拭き取る物で、販売されている除菌液のアルコールウェットテッシュに湿らせた物と、グレープフルーツ種子エキス成分のスプレー容器に入れ噴霧する物とその他を、一つのケースに収納することで接触感染を削減する特徴のケース（２）。
【手続補正２】
【補正対象書類名】図面
【補正対象項目名】図１
【補正方法】変更
【補正の内容】
【図１】
0003218728.tif 000011
【手続補正３】
【補正対象書類名】図面
【補正対象項目名】図３
【補正方法】変更
【補正の内容】
【図３】
0003218728.tif 000012
【手続補正書】
【提出日】平成30年8月16日(2018.8.16)
【手続補正１】
【補正対象書類名】実用新案登録請求の範囲
【補正対象項目名】全文
【補正方法】変更
【補正の内容】
【実用新案登録請求の範囲】
【請求項１】
本体マスクケース（１）上部の内側の両側に、小さな穴（６）を幾つも開け、前記内側の両側に網（５）を固設し、前記網（５）の上に、アルコールが湿ったウェットテッシュ（１０）を、使用中のマスク（３）の上下に重ねて乗せて収納し、前記使用中のマスク（３）が除菌できるように形成したもので、前記本体マスクケース（１）の中央部に、予備マスク（１１）又は／及び紙テッシュ（９）を収納するための袋状の網（５）を設け、前記中央部の反対側に、使用済みのマスク（３）を収納する所（１４）を設け、前記本体マスクケース（１）の下部に、ウェットテッシュ（１０）の包装袋を固設するための着脱自在の接着テープ（１５）と、前記ウェットテッシュ（１０）の包装袋の口から取り出すための取りだし口（１３）とを設け、前記本体マスクケース（１）の形状は、Ｎ型またはＭ型か本のページ状のいずれかであることを特徴とするマスクケース。
【請求項２】
衛生用品収納ケース（２）の上部の内側の両側に、小さな穴（６）を幾つも開け、前記内側の両側に網（５）を固設し、前記網（５）の上に、アルコールが湿ったウェットテッシュ（１０）を、使用中のマスク（３）の上下に重ねて乗せて収納するか、前記網（５）の上に、前記使用中のマスク（３）を乗せてアルコールを噴霧することで、前記使用中のマスク（３）が除菌できるように形成したもので、前記衛生用品収納ケース（２）の中央部のファスナー（８）を開けた中に、予備マスク（１１）又は／及び紙テッシュ（９）などを収納するための袋状の網（５）を設け、前記中央部の反対側に、使用済みのマスク（３）を収納する所（１４）を設け、前記衛生用品収納ケース（２）の下部に、ウェットテッシュ（１０）の包装袋を固設するための着脱自在の接着テープ（１５）と、前記ウェットテッシュ（１０）の包装袋の口から取り出すための取りだし口（１３）と、アルコールスプレー容器（４）を収納する所とを設け、前記衛生用品収納ケース（２）の外側から前記ウェットテッシュ（１０）を取り出せるようにした、衛生用品収納ケース（２）。